(57)【特許請求の範囲】
【請求項１】
遠心力によって水を放散する回転板を有し、前記回転板での水の放散によりミストを発生させる加湿装置であって、前記回転板の下部に設置した貯水槽と、前記回転板と前記貯水槽を連通し回転により水を吸上げる給水管を備え、前記回転板への給水量を調整する給水量調整手段を備え、前記貯水槽の水面から前記回転板までの高さを変更する水位変更手段を備え、前記貯水槽の貯水容積を調整する容積調整手段を備え、貯水容積を縮小することにより前記貯水槽の水位を上げ前記貯水槽の水位から回転板までの高さを低くさせ、貯水容積を拡大することにより前記貯水槽の水位を下げ前記貯水槽の水位から前記回転板までの高さを高くさせることを特徴とする加湿装置。
【請求項２】
所定の容積を持った調整容器を備え、前記調整容器を貯水槽に沈めることにより前記貯水槽の水位を上昇させ、前記調整容器を前記貯水槽から引き上げることにより水位を低下させることを特徴とする請求項１記載の加湿装置。
【請求項３】
貯水槽に供給する水をためる貯水タンクを備え、前記貯水槽の水位を低下させる時、前記貯水タンクから前記貯水槽への水の供給を停止する供給調整手段を備えることを特徴とする請求項１または２に記載の加湿装置。
【請求項４】
貯水タンクは下部に給水弁を備え、前記給水弁は開口部と前記開口部を閉塞し前記貯水タンクを密閉する閉塞弁と前記閉塞弁を通常状態では前記開口部に押し付けるバネと前記貯水タンク下方からの押圧により前記閉塞弁を押し上げ前記開口部を開口する押圧棒とにより構成され、所定の容積を持った調整容器を備え、前記調整容器を貯水槽に沈めることにより前記貯水槽の水位を上昇させ、前記調整容器を前記貯水槽から引き上げることにより水位を低下させるよう構成され、前記調整容器の浮沈と前記押圧棒の押圧の有無を連動することを特徴とする請求項２または３記載の加湿装置。
【請求項５】
貯水槽から調整容器を引き上げ、前記貯水槽の水位を低下させる時、押圧棒の押圧を停止し、貯水タンクからの給水を停止することを特徴とする請求項４記載の加湿装置。
【請求項６】
貯水槽に供給する水をためる貯水タンクを備え、前記貯水タンクは下部に給水弁を備え、水位変更手段による貯水槽の水位の変動に合わせて前記給水弁の上下方向の位置が変動するように、貯水タンクの配置高さを変動させることを特徴とする請求項１乃至３のいずれかに記載の加湿装置。
【請求項７】
水位変更手段により貯水槽の水位を変更させた時、給水弁の開口部の上下方向の位置が貯水槽の水位と同じになるように貯水タンクの配置高さを調整することを特徴とする請求項６載の加湿装置。
【請求項８】
本体に対する回転板の設置高さを変更することを特徴とする請求項１記載の加湿装置。
【請求項９】
遠心力によって水を放散する回転板を有し、前記回転板での水の放散によりミストを発生させる加湿装置であって、回転板に付着した水滴を脱水する脱水運転モードを備えることを特徴とする請求項１記載の加湿装置。
【請求項１０】
遠心力によって水を放散する回転板を有し、前記回転板での水の放散によりミストを発生させる加湿装置であって、回転板に付着した水滴を脱水する脱水運転モードを備えることを特徴とする請求項１乃至８のいずれかに記載の加湿装置。
【請求項１１】
脱水運転モードの時、回転板への水の供給を停止するとともに回転板を駆動することを特徴とする請求項１０記載の加湿装置。
【請求項１２】
脱水運転モードの時、貯水槽の水面から回転板までの高さを増やし、水面を給水管の下端より低くすることを特徴とする請求項１１記載の加湿装置。
【請求項１３】
貯水槽に供給する水をためる貯水タンクを備え、脱水運転モードの時、前記貯水タンクから前記貯水槽への水の供給を停止する供給調整手段を備えることを特徴とする請求項９乃至１２のいずれかに記載の加湿装置。
【請求項１４】
発生したミストを空気とともに搬送する送風手段を備え、脱水運転モードの時、前記送風手段を駆動することを特徴とする請求項９乃至１３のいずれかに記載の加湿装置。
【請求項１５】
加湿を補助する加熱手段を備え、脱水運転モードの時、前記加熱手段を運転することを特徴とする請求項９乃至１４のいずれかに記載の加湿装置。
【発明の詳細な説明】
【技術分野】
【０００１】
本発明は、水を破砕させ微細なミストを発生させて加湿を行う加湿装置に関する。
【背景技術】
【０００２】
従来、この種のミストを発生させる加湿装置は、吸水管と軸流ファンおよび気水分離器等の各種部材を縦方向に積み重ねて設けるものが知られている（例えば、特許文献１参照）。
【０００３】
以下、その加湿装置について図５を参照しながら説明する。
【０００４】
図に示すように、筒状の本体１０１の下部に設けた貯水槽１０２内の水に下端を挿入して回転により水を吸引する吸水管１０３と、この吸水管１０３で吸引した水を円周方向に飛散させるように縦軸により回転する回転板１０４と、この回転板１０４の吐出方向に面して設けた対向壁面１０５と、この対向壁面１０５への衝突で発生するミストを縦方向に搬送する軸流ファン１０６と、この軸流ファン１０６の下流となる上部に設けた気水分離器１０７とにより構成していた。
【先行技術文献】
【特許文献】
【０００５】
【特許文献１】特開２００２−１１９８４４号公報（［００３１］〜［００３３］、図１）
【発明の概要】
【発明が解決しようとする課題】
【０００６】
この加湿装置は、微細なミストを発生させ加湿を行うことは可能であるが、回転板への水の供給に関しては、給水管の回転による水の吸上げによる給水であるので、回転数を変化させれば給水量を変更することはできるが、この構成上、同時に回転板の回転数も変ってしまうので、給水量を細かに調整することは難しく加湿量を調整することは難しいという課題があった。
【０００７】
また、給水管の下端が常に貯水槽内の水に挿入されていることになり、回転板の回転と給水は常に同時になされるので、加湿運転停止時に回転板、給水管が濡れた状態になり、雑菌の繁殖やスケール成分の析出などが起こりやすくなり清掃などのメンテナンスを頻繁に行う必要があるいう課題があった。
【０００８】
また、貯水槽の水は満水状態から加湿が進むと水位が減少してくるため、運転時間により水面と回転板との高さが変動することになり回転板への水の供給量も不安定となるため、加湿量も不安定になるという課題があった。
【０００９】
本発明は、上記課題に鑑みてなされたものであり、水の供給量を調整可能としミスト発生量が調整可能で加湿量を調整可能であり、回転板が濡れたまま停止することにより繁殖する雑菌やスケール付着を抑制し清掃、メンテナンスの回数を減少することができ貯水槽の水位の変動を少なくし水の安定供給を行い加湿を安定して行うことができる加湿装置を提供すること目的としている。
【課題を解決するための手段】
【００１０】
上記目的を達成するために本発明が講じた第１の課題解決手段は、遠心力によって水を放散する回転板を有し、回転板で放散させた水の衝突によりミストを発生させる加湿装置であって、回転板の下部に設置した貯水槽と、回転板から貯水槽に伸び貯水槽に下端を挿入し回転により水を吸上げる給水管を備え、回転板への給水量を調整する給水量調整手段を備え、貯水槽の水面から回転板までの高さを変更する水位変更手段を備え、貯水槽の水が溜まる部分の容積を調整する容積調整手段を備え、容積を縮小することにより貯水槽の水位を上げ回転板までの高さを低くさせ、容積を拡大することにより貯水槽の水位を下げ前記回転板までの高さを高くさせるものである。
【００１１】
また、第２の課題解決手段は、上記第１の課題解決手段において、所定の容積を持った調整容器を備え、調整容器を貯水槽に沈めることにより貯水槽の水位を上昇させ、調整容器を貯水槽から引き上げることにより水位を低下させるものである。
【００１２】
また、第３の課題解決手段は、上記第１乃至２のいずれかの課題解決手段において、貯水槽に供給する水をためる貯水タンクを備え、貯水槽の水位を低下させる時、貯水タンクから貯水槽への水の供給を停止する供給調整手段を備えるものである。
【００１３】
また、第４の課題解決手段は、上記第２または３のいずれかの課題解決手段において、貯水タンクは下部に給水弁を備え、給水弁は開口部と開口部を閉塞し貯水タンクを密閉する閉塞弁と閉塞弁を通常状態では開口部に押し付けるバネと給水タンク下方からの押圧により閉塞弁を押し上げ開口部を開口する押圧棒とにより構成され、調整容器の浮沈と押圧棒の押圧の有無を連動するものである。
【００１４】
また、第５の課題解決手段は、上記第４の課題解決手段において、貯水槽から調整容器を引き上げ、貯水槽の水位を低下させる時、押圧棒の押圧を停止し、貯水タンクからの給水を停止するものである。
【００１５】
また、第６の課題解決手段は、上記第１乃至３のいずれかの課題解決手段において、貯水槽に供給する水をためる貯水タンクを備え、貯水タンクは下部に給水弁を備え、水位変更手段による貯水槽の水位の変動に合わせて給水弁の上下方向の位置が変動するように、貯水タンクの配置高さを変動させるものである。
【００１６】
また、第７の課題解決手段は、上記第６の課題解決手段において、水位変更手段により貯水槽の水位を変更させた時、給水弁の開口部の上下方向の位置が貯水槽の水位と同じになるように貯水タンクの配置高さを調整するものである。
【００１７】
また、第８の課題解決手段は、上記第１の課題解決手段において、回転板の高さを調整するものである。
【００１８】
また、第９の課題解決手段は、上記第１の課題解決手段において、遠心力によって水を放散する回転板を有し、回転板で放散させた水の衝突によりミストを発生させる加湿装置であって、回転板に付着した水滴を脱水する脱水運転モードを備えるものである。
【００１９】
また、第１０の課題解決手段は、上記第１乃至８のいずれかの課題解決手段において、遠心力によって水を放散する回転板を有し、回転板で放散させた水の衝突によりミストを発生させる加湿装置であって、回転板に付着した水滴を脱水する脱水運転モードを備えるものである。
【００２０】
また、第１１の課題解決手段は、上記第１０の課題解決手段において、脱水運転モードの時、回転板への水の供給を停止するとともに回転板を駆動するものである。
【００２１】
また、第１２の課題解決手段は、上記第１１の課題解決手段において、脱水運転モードの時、貯水槽の水面から回転板までの高さを増やし、水面を給水管の下端より低くするものである。
【００２２】
また、第１３の課題解決手段は、上記第９乃至１２のいずれかの課題解決手段において、貯水槽に供給する水をためる貯水タンクを備え、脱水運転モードの時、貯水タンクから貯水槽への水の供給を停止する供給調整手段を備えるものである。
【００２３】
また、第１４の課題解決手段は、上記第９乃至１３のいずれかの課題解決手段において、発生したミストを空気とともに搬送する送風手段を備え、脱水運転モードの時、送風手段を駆動するものである。
【００２４】
また、第１５の課題解決手段は、上記第９乃至１４のいずれかの課題解決手段において、加湿を補助する加熱手段を備え、脱水運転モードの時、加熱手段を運転するものである。
【発明の効果】
【００２５】
本発明によれば、水の供給量を調整可能としミスト発生量が調整可能で加湿量を調整可能な加湿装置を提供することができる。
【００２６】
また、回転板が濡れたまま停止することにより繁殖する雑菌やスケール付着を抑制し清掃、メンテナンスの回数を減少することができる加湿装置を提供することができる。
【００２７】
また、貯水槽の水位の変動を少なくし水の安定供給を行い加湿を安定して行うことができる加湿装置を提供することができる。
【００２８】
そして、本発明の請求項１記載の発明によれば、遠心力によって水を放散する回転板を有し、前記回転板で放散させた水の衝突によりミストを発生させる加湿装置であって、回転板の下部に設置した貯水槽と、回転板から貯水槽に伸び貯水槽に下端を挿入し回転により水を吸上げる給水管を備え、回転板への給水量を調整する給水量調整手段を備えることにより、回転板への給水量を調整できるので、回転板への給水量を増加した場合には水破砕を増加させ、回転板への給水量を減少した場合には水破砕を減少させることができ、加湿量を調整可能な使い勝手のよい加湿装置を提供することができ、さらに、貯水槽の水面から回転板までの高さを変更する水位変更手段を備えることにより、貯水槽の水面から回転板までの揚程を変更することになり、揚程が下がれば回転板への給水量を増加し、揚程が上がれば回転板への給水量を減少するので給水量を調整できることになり、回転板への給水量を増加した場合には水破砕を増加させ、回転板への給水量を減少した場合には水破砕を減少させ、また給水管より水位が下がれば回転板への給水を止めるので、加湿量を調整可能で、しかも加湿なしも選べる、使い勝手のよい加湿装置を提供することができ、さらに、貯水槽の水が溜まる部分の容積を調整する容積調整手段を備え、容積を縮小することにより貯水槽の水位を上げ回転板までの高さを低くさせ、容積を拡大することにより貯水槽の水位を下げ回転板までの高さを高くさせることにより、貯水槽への水の量を増減することなく、簡単な構成で貯水槽の水位を増減させるので、安価の構成で回転板への給水量を調整できることになり、回転板への給水量を増加した場合には水破砕を増加させ、回転板への給水量を減少した場合には水破砕を減少させることができ、給水管より水位を下げた場合には給水をなくし水破砕をなくすことができ、加湿量を調整可能で、加湿なしも選べる、使い勝手のよい加湿装置を提供することができる。
【００２９】
また、請求項２記載の発明によれば、所定の容積を持った調整容器を備え、調整容器を貯水槽に沈めることにより貯水槽の水位を上昇させ、調整容器を貯水槽から引き上げることにより水位を低下させることにより、調整容器だけで貯水槽の水が溜まる部分の容積を増減させ水位を上下させることができ、調整容器の容積を調整することにより水位の高さを任意に設定でき、また、貯水槽への沈める高さによっても水位の高さを調整可能となるので、簡単で安価の構成で、給水揚程を調整でき、回転板への給水量を調整できることになり、回転板への給水量を増加した場合には水破砕を増加させ、回転板への給水量を減少した場合には水破砕を減少させることができ、加湿量を調整可能な使い勝手のよい加湿装置を提供することができる。
【００３０】
また、請求項３記載の発明によれば、貯水槽に供給する水をためる貯水タンクを備え、貯水槽の水位を低下させる時、貯水タンクから貯水槽への水の供給を停止する供給調整手段を備えることにより、水位低下により貯水タンクから水が供給され、推移が上昇するのを抑制し、回転板との揚程を所定高さに安定させ、回転板への給水量を安定させるので、簡単で安価の構成で、給水揚程を調整でき、回転板への給水量を調整できることになり、回転板への給水量を減少した場合に水破砕を確実に減少させ、水位を給水管より低い位置に設定した場合には、確実に水を吸上げなくすることができる加湿装置を提供することができる。
【００３１】
また、請求項４記載の発明によれば、貯水タンクは下部に給水弁を備え、給水弁は開口部と開口部を閉塞し貯水タンクを密閉する閉塞弁と閉塞弁を通常状態では開口部に押し付けるバネと給水タンク下方からの押圧により閉塞弁を押し上げ開口部を開口する押圧棒とにより構成され、調整容器の浮沈と押圧棒の押圧の有無を連動することにより、水位変更手段により水位が低くされた時には、押圧棒の押圧を無くし、貯水タンクの開口部を閉じ給水を停止し、低い水位を維持し、水位が高くされた場合には、押圧棒を押し水の供給を行うので、貯水槽の水位を所定の高さで安定させ、回転板への給水量を安定させ、所定の加湿量に安定させることができる加湿装置を提供することができる。
【００３２】
また、請求項５記載の発明によれば、貯水槽から調整容器を引き上げ、貯水槽の水位を低下させる時、押圧棒の押圧を停止し、貯水タンクからの給水を停止することにより、貯水槽の水位を給水管より低い位置に設定した場合、貯水タンクからの給水がなくなり、低い水位を維持できるので給水管が水を吸上げることがなく、確実に加湿なしの運転を行うことができる加湿装置を提供することができる。
【００３３】
また、請求項６記載の発明によれば、貯水槽に供給する水をためる貯水タンクを備え、貯水タンクは下部に給水弁を備え、水位変更手段による貯水槽の水位の変動に合わせて給水弁の上下方向の位置が変動するように、貯水タンクの配置高さを変動させることにより、通常、給水弁の高さにより水位が決定しているが、水位変更手段により水位が変更された時、給水弁が水面より高くなり貯水タンクから給水され水位が上がってしまうことがなく、水位が不安定になるのを抑制するので、給水を止めたいときには確実に停止でき、また給水量を調整したい時には、安定して給水でき、給水量を調整可能で加湿量を調整可能な加湿装置を提供することができる。
【００３４】
また、請求項７記載の発明によれば、水位変更手段により貯水槽の水位を変更させた時、給水弁の開口部の上下方向の位置が貯水槽の水位と同じになるように貯水タンクの配置高さを調整することにより、給水弁の開口部が塞がるまで貯水槽の水位が上がることになるので、加湿により貯水槽の水が減少した時、開口部高さ、つまり水位変更手段により変更させた水位まで、貯水タンクから逐次水が供給され、所定の水位が維持されるので、貯水槽の水位の変動がなく、水位が不安定になることを抑制するので、給水を止めたいときには確実に停止でき、また給水量を調整したい時には、安定して給水でき、給水量を調整可能で加湿量を調整可能な加湿装置を提供することができる。
【００３５】
また、請求項８記載の発明によれば、回転板の高さを調整することにより、貯水槽の水面から回転板までの高さを調整し、給水管の揚程を変更するとともに、給水管を水面より高くすることもできるので、回転板への給水量が調整可能、あるいは給水無しを選択でき、加湿量を調整可能な加湿装置を提供することができる。
【００３６】
また、請求項９記載の発明によれば、遠心力によって水を放散する回転板を有し、回転板で放散させた水の衝突によりミストを発生させる加湿装置であって、回転板に付着した水滴を脱水する脱水運転モードを備えることにより、運転停止時に脱水運転を行い、回転板が乾いた状態で運転停止することになり、回転板への雑菌の繁殖や、スケールの付着を抑制するので、菌やスケールの飛散を抑制するとともに、回転板の清掃やメンテナンスの回数を減らすことができる使い勝手の良い加湿装置を提供することができる。
【００３７】
また、請求項１０記載の発明によれば、遠心力によって水を放散する回転板を有し、回転板で放散させた水の衝突によりミストを発生させる加湿装置であって、回転板に付着した水滴を脱水する脱水運転モードを備えることにより、運転停止時に脱水運転を行い、回転板が乾いた状態で運転停止することになり、回転板への雑菌の繁殖や、スケールの付着を抑制するので、菌やスケールの飛散を抑制するとともに、回転板の清掃やメンテナンスの回数を減らすことができる使い勝手の良い加湿装置を提供することができる。
【００３８】
また、請求項１１記載の発明によれば、脱水運転モードの時、回転板への水の供給を停止するとともに回転板を駆動することにより、脱水運転モード中は水が供給されず、回転板に付着した水分を確実に吹き飛ばすことができるので、運転停止時に脱水運転を行い、回転板が乾いた状態で運転停止することになり、回転板への雑菌の繁殖や、スケールの付着を抑制するので、菌やスケールの飛散を抑制するとともに、回転板の清掃やメンテナンスの回数を減らすことができる使い勝手の良い加湿装置を提供することができる。
【００３９】
また、請求項１２記載の発明によれば、脱水運転モードの時、貯水槽の水面から回転板までの高さを増やし、水面を給水管の下端より低くすることにより、給水管が水を吸上げることがなくなり、回転板への給水が停止され、脱水運転モード中は水が供給されず、回転板に付着した水分を確実に吹き飛ばすことができるので、運転停止時に脱水運転を行い、回転板が乾いた状態で運転停止することになり、回転板への雑菌の繁殖や、スケールの付着を抑制するので、菌やスケールの飛散を抑制するとともに、回転板の清掃やメンテナンスの回数を減らすことができる使い勝手の良い加湿装置を提供することができる。
【００４０】
また、請求項１３記載の発明によれば、貯水槽に供給する水をためる貯水タンクを備え、脱水運転モードの時、貯水タンクから前記貯水槽への水の供給を停止する供給調整手段を備えることにより、貯水槽への水の供給も停止されるので、水位が上昇し給水管の下端が水に浸かり、水を吸上げることがなく、回転板への給水を確実に停止することになり、脱水運転モード中は水が供給されず、回転板に付着した水分を確実に吹き飛ばすことができるので、運転停止時に脱水運転を行い、回転板が乾いた状態で運転停止することになり、回転板への雑菌の繁殖や、スケールの付着を抑制するので、菌やスケールの飛散を抑制するとともに、回転板の清掃やメンテナンスの回数を減らすことができる使い勝手の良い加湿装置を提供することができる。
【００４１】
また、請求項１４記載の発明によれば、発生したミストを空気とともに搬送する送風手段を備え、脱水運転モードの時、送風手段を駆動することにより、送風による乾燥効果が加わり、回転板の脱水を促進するので、脱水時間を短縮でき、回転板に付着した水分をいちはやく乾燥させ、回転板が乾いた状態で運転停止することになり、回転板への雑菌の繁殖や、スケールの付着を抑制するので、菌やスケールの飛散を抑制するとともに、回転板の清掃やメンテナンスの回数を減らすことができる使い勝手の良い加湿装置を提供することができる。
【００４２】
また、請求項１５記載の発明によれば、加湿を補助する加熱手段を備え、脱水運転モードの時、加熱手段を運転することにより、加熱手段の昇温効果により水分の乾燥効果が加わり、更に回転板の脱水が促進されるので、脱水時間を短縮でき、回転板に付着した水分をいちはやく乾燥させ、回転板が乾いた状態で運転停止することになり、回転板への雑菌の繁殖や、スケールの付着を抑制するので、菌やスケールの飛散を抑制するとともに、回転板の清掃やメンテナンスの回数を減らすことができる使い勝手の良い加湿装置を提供することができる。
【図面の簡単な説明】
【００４３】
【図１】本発明の実施の形態１におけるミストを発生させる加湿装置の概略断面図
【図２】本発明の実施の形態１における各部品の動作状況を示した図
【図３】本発明の実施の形態２における貯水タンク７および調整容器１７の動作状態を示した概略図（（ａ）同、貯水槽１０２内の水位が高い位置で保持できるようにしている動作状態を示した概略図、（ｂ）同貯水槽１０２内の水位が低い位置で保持できるようにしている動作状態を示した概略図）
【図４】本発明の実施の形態３における貯水槽１０２、貯水タンク７および回転板１０４、給水管１０３の位置関係を示した概略図
【図５】従来のミストを発生させる加湿装置の断面図
【発明を実施するための形態】
【００４４】
本発明の請求項１記載の発明は、遠心力によって水を放散する回転板を有し、回転板で放散させた水の衝突によりミストを発生させる加湿装置であって、回転板の下部に設置した貯水槽と、回転板から貯水槽に伸び貯水槽に下端を挿入し回転により水を吸上げる給水管を備え、回転板への給水量を調整する給水量調整手段を備えることにより、回転板への給水量を調整できるので、回転板への給水量を増加した場合には水破砕を増加させ、回転板への給水量を減少した場合には水破砕を減少させるという作用を有し、さらに、貯水槽の水面から回転板までの高さを変更する水位変更手段を備えることにより、貯水槽の水面から回転板までの揚程を変更することになり、揚程が下がれば回転板への給水量を増加し、揚程が上がれば回転板への給水量を減少するので給水量を調整できることになり、回転板への給水量を増加した場合には水破砕を増加させ、回転板への給水量を減少した場合には水破砕を減少させ、また給水管より水位が下がれば、回転板への給水を止めるという作用を有し、さらに、貯水槽の水が溜まる部分の容積を調整する容積調整手段を備え、容積を縮小することにより貯水槽の水位を上げ回転板までの高さを低くさせ、容積を拡大することにより貯水槽の水位を下げ回転板までの高さを高くさせることにより、貯水槽への水の量を増減することなく、簡単な構成で貯水槽の水位を増減させるという作用を有する。
【００４５】
また、請求項２記載の発明は、所定の容積を持った調整容器を備え、調整容器を貯水槽に沈めることにより貯水槽の水位を上昇させ、調整容器を貯水槽から引き上げることにより水位を低下させることにより、調整容器だけで貯水槽の水が溜まる部分の容積を増減させ水位を上下させることができ、調整容器の容積を調整することにより水位の高さを任意に設定でき、また、貯水槽への沈める高さによっても水位の高さを調整可能となるという作用を有する。
【００４６】
また、請求項３記載の発明は、貯水槽に供給する水をためる貯水タンクを備え、貯水槽の水位を低下させる時、貯水タンクから貯水槽への水の供給を停止する供給調整手段を備えることにより、水位低下により貯水タンクから水が供給され、推移が上昇するのを抑制し、回転板との揚程を所定高さに安定させ、回転板への給水量を安定させるという作用を有する。
【００４７】
また、請求項４記載の発明は、貯水タンクは下部に給水弁を備え、給水弁は開口部と開口部を閉塞し貯水タンクを密閉する閉塞弁と閉塞弁を通常状態では開口部に押し付けるバネと給水タンク下方からの押圧により閉塞弁を押し上げ開口部を開口する押圧棒とにより構成され、調整容器の浮沈と押圧棒の押圧の有無を連動することにより、水位変更手段により水位が低くされた時には、押圧棒の押圧を無くし、貯水タンクの開口部を閉じ給水を停止し、低い水位を維持し、水位が高くされた場合には、押圧棒を押し水の供給を行うという作用を有する。
【００４８】
また、請求項５記載の発明は、貯水槽から調整容器を引き上げ、貯水槽の水位を低下させる時、押圧棒の押圧を停止し、貯水タンクからの給水を停止することにより、貯水槽の水位を給水管より低い位置に設定した場合、貯水タンクからの給水がなくなり、低い水位を維持できるという作用を有する。
【００４９】
また、請求項６記載の発明は、貯水槽に供給する水をためる貯水タンクを備え、貯水タンクは下部に給水弁を備え、水位変更手段による貯水槽の水位の変動に合わせて給水弁の上下方向の位置が変動するように、貯水タンクの配置高さを変動させることにより、通常、給水弁の高さにより水位が決定しているが、水位変更手段により水位が変更された時、給水弁が水面より高くなり貯水タンクから給水され水位が上がってしまうことがなく、水位が不安定になるのを抑制するという作用を有する。
【００５０】
また、請求項７記載の発明は、水位変更手段により貯水槽の水位を変更させた時、給水弁の開口部の上下方向の位置が貯水槽の水位と同じになるように貯水タンクの配置高さを調整することにより、給水弁の開口部が塞がるまで貯水槽の水位が上がることになるので、加湿により貯水槽の水が減少した時、開口部高さ、つまり水位変更手段により変更させた水位まで、貯水タンクから逐次水が供給され、所定の水位が維持されるという作用を有する。
【００５１】
また、請求項８記載の発明は、回転板の高さを調整することにより、貯水槽の水面から回転板までの高さを調整し、給水管の揚程を変更するとともに、給水管を水面より高くすることもできるという作用を有する。
【００５２】
また、請求項９記載の発明は、遠心力によって水を放散する回転板を有し、回転板で放散させた水の衝突によりミストを発生させる加湿装置であって、回転板に付着した水滴を脱水する脱水運転モードを備えることにより、運転停止時に脱水運転を行い、回転板が乾いた状態で運転停止することになり、回転板への雑菌の繁殖や、スケールの付着を抑制するという作用を有する。
【００５３】
また、請求項１０記載の発明は、遠心力によって水を放散する回転板を有し、回転板で放散させた水の衝突によりミストを発生させる加湿装置であって、回転板に付着した水滴を脱水する脱水運転モードを備えることにより、運転停止時に脱水運転を行い、回転板が乾いた状態で運転停止することになり、回転板への雑菌の繁殖や、スケールの付着を抑制するという作用を有する。
【００５４】
また、請求項１１記載の発明は、脱水運転モードの時、回転板への水の供給を停止するとともに回転板を駆動することにより、脱水運転モード中は水が供給されず、回転板に付着した水分を確実に吹き飛ばすことができるという作用を有する。
【００５５】
また、請求項１２記載の発明は、脱水運転モードの時、貯水槽の水面から回転板までの高さを増やし、水面を給水管の下端より低くすることにより、給水管が水を吸上げることがなくなり、回転板への給水が停止され、脱水運転モード中は水が供給されず、回転板に付着した水分を確実に吹き飛ばすことができるという作用を有する。
【００５６】
また、請求項１３記載の発明は、貯水槽に供給する水をためる貯水タンクを備え、脱水運転モードの時、貯水タンクから貯水槽への水の供給を停止する供給調整手段を備えることにより、貯水槽への水の供給も停止されるので、水位が上昇し給水管の下端が水に浸かり、水を吸上げることがなく、回転板への給水を確実に停止することになり、脱水運転モード中は水が供給されず、回転板に付着した水分を確実に吹き飛ばすことができるという作用を有する。
【００５７】
また、請求項１４記載の発明は、発生したミストを空気とともに搬送する送風手段を備え、脱水運転モードの時、送風手段を駆動することにより、送風による乾燥効果が加わり、回転板の脱水を促進するという作用を有する。
【００５８】
また、請求項１５記載の発明は、加湿を補助する加熱手段を備え、脱水運転モードの時、加熱手段を運転することにより、加熱手段の昇温効果により水分の乾燥効果が加わり、更に回転板の脱水が促進されるという作用を有する。
【００５９】
以下、本発明の実施の形態について図面を参照しながら説明する。
【００６０】
（実施の形態１）
図１は、本発明の加湿装置の構成を示す概略断面図である。図１に示すように、本体１０１には室内空気を吸引する吸込口１と加湿空気を室内に供給する吹出口２が開口され、ミストを搬送するためのミスト発生風路３が備えられている。ミスト発生風路３は例えば中空で円筒形状をなしている。ミスト発生風路３の内部には、駆動装置としてその回転面がミスト発生風路３の半径方向に平行となるように配設されたモーター４と、モーター４から鉛直下向きに設けられた駆動軸５を介して接続され、モーター４の駆動とともに回転する回転板１０４が配設されている。そして、ミスト発生風路３の回転板１０４と対向する部分には、破砕部６が形設されている。破細部６は、回転板１０４により放散された水滴が衝突、破砕する部分であり、図示しないが、例えば回転板１０４から放出される水滴が垂直に衝突するように設置された複数のリブから構成されている。
【００６１】
また、本体１０１の上面側から収脱自在に貯水タンク７が配設されている。この貯水タンク７は、収納状態において底部に設けられた給水弁８から給水可能なように構成されており、給水された水は本体１０１の下部に備えられた貯水槽１０２に導かれる。
【００６２】
貯水槽１０２は貯水タンク７および回転板１０４の下方となるように配置されている。給水弁８は水が流通する開口部９と、貯水タンク７内側から開口部９を閉塞する閉塞弁１０と一方の端部を閉塞弁１０に接続し、もう一方の端部を押すことで閉塞弁１０と開口部９の位置関係を規定する押圧棒１１と押圧棒１１を中心に挿入し通常状態で押圧棒１１に圧力をかけ押圧棒１１に接続された閉塞弁１０を開口部９に密着させるバネ１２により構成されている。
【００６３】
また、閉塞弁１０は弾性体で構成され、開口部９に押し付けられることにより開口部９に密着し貯水タンク７を密閉する。バネ１２は弾性がある部材であれば良い。貯水タンク７が本体１０１に収容された状態で、貯水槽１０２内に設置されている押圧凸部１３が押圧棒１１を押すように押圧凸部１３が形設され、貯水タンク７は本体１０１に収容された際、給水弁８では押圧棒１１がおされ閉塞弁１０が開口部９を開口する方向に動作するので、給水弁８が開かれ貯水槽１０２への水の供給がなされる。
【００６４】
そして、貯水槽１０２の水面が給水弁８の開口部９まで上昇してきた時、水面により貯水タンク７が密閉されることになり、その水位以上水が供給されることがなく、水位を保つことになる。さらに、加湿が進み貯水タンク７の水位が下がってきた場合には、水面による貯水タンク７の密閉がなくなり、再度、水位が開口部９を密閉するまで給水が行われることになる。
【００６５】
回転板１０４には、給水管１０３が下端を貯水槽１０２の水に挿入するように形設されている。給水管１０３は円錐状で中空の筒であり、円錐の底面が回転板１０４に接続し開口し、頂点方向が貯水槽１０２の水に挿入し開口している。給水管１０３は回転板１０４とともに回転することにより、遠心力により貯水槽１０２の水を給水管１０３内壁に沿って吸上げる構成となっている。
【００６６】
ミスト発生風路３の底部には、給水管１０３が回転自在に挿入される挿入口１４を開口し、挿入口１４の下部には貯水槽１０２が配設されている。また、ミスト発生風路３下部に室内空気を送風するように、送風手段としてファンモータ１５を接続している。さらにファンモータ１５の吹出部には空気を加熱する加熱手段としてヒータ１６が配置されている。なお、ヒータ１６は空気を加熱できればよく、ニクロムヒータ、セラミックヒータ、ハロゲンヒータ、カーボンヒータ、などを使用することができる。
【００６７】
また、貯水槽１０２の中には、貯水槽１０２の貯水容積を調整する容積調整手段として所定の容積を持った調整容器１７を備えている。調整容器１７は、例えば、中空状に成形された樹脂部品で構成され、所謂フロートの形状を成している。そして、図示していないが外部からの動力により貯水槽１０２内で上下できる構成となっており、貯水槽１０２の水に沈めると貯水槽１０２の容積を減らし、水から引き上げると貯水槽１０２の容積を増加させるように動作し、貯水槽１０２の容積を調整することができる。
【００６８】
そして、貯水槽１０２の水面から回転板１０４までの高さを変更する水位変更手段として、容積調整手段は動作する。すなわち、貯水槽１０２の容積を減らした場合、水位を上昇させ、貯水槽１０２の容積を増加させた場合、水位を低下させるよう作用し、容積調整手段が水位変更手段として動作することになる。水位の上昇高さは、調整容器１７の容積により決定でき、任意の高さに調整可能となる。
【００６９】
そして、回転板１０４への給水量を調整する給水量調整手段として水位変更手段は作用する。すなわち、貯水槽１０２の貯水水位から回転板１０４までの高さが高くなると給水の揚程が増加し、回転板１０４への給水量を下げることができ、貯水水位から回転板１０４までの高さが低くなると給水の揚程が減少し、回転板１０４への給水量を増やすことができる。
【００７０】
以上より、調整容器１７は容積調整手段として作用し、容積調整手段は水位変更手段として作用し、水位変更手段は給水量調整手段として作用することになる。
【００７１】
また、貯水タンク７から貯水槽１０２への水の供給量を調整する供給調整手段として作用するように調整容器１７は前述の押圧凸部１３と連動して動作するよう配置している。例えば、連接棒１８を介して接続され、調整容器１７が貯水槽１０２の水から引き上げられ水位が下がった時に、押圧凸部１３が下方に下がり、貯水タンク７を密閉するように動作する。すなわち、貯水槽１０２の水位を低下させるために調整容器１７を水から引き上げた時、水位が下がることにより貯水タンク７の開口部９が開口し、貯水タンク７から貯水槽１０２に水が流入しようとするが、押圧凸部１３が下方に下がり貯水タンク７を密閉するので、水が流入することがなく、速やかに水位を下げることができる。
【００７２】
図２は、加湿運転と脱水運転の各部品の動作状況を示した図である。上記構成において、加湿運転が開始されると図２に示すように、水を回転板１０４に供給するとともに、回転板１０４を回転させ、送風手段であるファンモータ１５を駆動し、加熱手段であるヒータ１６に通電する。すなわち、調整容器１７が貯水槽１０２の水の中に沈み水位を上昇させるとともに、貯水タンク７の給水弁８を開口し、給水可能な状態にする。この時、貯水槽１０２の水位は、給水管１０３の下端が水に浸かる位置まで上昇してくる。そしてモーター４とファンモータ１５が駆動され、モーター４に接続された回転板１０４が回転し、同時に給水管１０３も回転する。
【００７３】
給水管１０３は円錐の頂点を下に向け、下端を貯水槽１０２の水に浸かるように設置されているので、回転することで給水管１０３内部の水に遠心力を与え、遠心力を与えられた水は、給水管１０３内部壁面に沿いながら上昇し回転板１０４まで給水される。このようにして、回転板１０４への水の給水がなされる。回転板１０４に供給された水は回転板１０４により外周方向に放散され、回転板１０４から外周に向かって飛び出していく。そして、水滴は破砕部６に衝突し、微細なミストが生成される。ミストはファンモータ１５からの送風により本体１０１外に搬送され、室内を加湿する。
【００７４】
さらに、水滴が細かく破砕される際に同時にマイナスイオンが発生する。このマイナスイオンをファンモータ１５により本体１０１外に供給することによりリラクゼーション効果も得られる。また、ファンモータ１５の吹出部ではヒータ１６による加熱により空気の温度を上昇させ相対湿度を低下させているので、水滴は気化しやすくなり、加湿をより促進させている。また、破砕部６での衝突により破砕しきらなかった水滴はミスト発生風路３の内壁を伝わりながら流れ落ち、再び貯水槽１０２に回収される。
【００７５】
次に脱水運転モードについて説明する。図２に示すように、脱水運転モードが開始されると、回転板１０４への給水が停止されるとともに、回転板１０４は回転を続け、ファンモータ１５を駆動し、ヒータ１６に通電する。
【００７６】
すなわち、容積調整手段である調整容器１７が貯水槽１０２の水から引き上げられ貯水容積を増加させることにより、水位変更手段として貯水槽１０２の水位を下げるとともに、貯水タンク７の給水弁８が供給調整手段として作用し貯水タンク７を密閉し貯水タンク７から貯水槽１０２への給水を停止する。この時、貯水槽１０２の水面が低下し、給水管１０３の下端は水面より上部に位置することになる。このため、回転板１０４が回転し同時に給水管１０３が回転しても水を吸上げることがなく、回転板１０４への給水を停止することができる。
【００７７】
そして、回転板１０４は回転し、回転板１０４表面に付着した水滴を吹き飛ばし脱水動作が行われる。さらに、ファンモータ１５による送風およびヒータ１６による加熱が行われるので、乾燥効果が加わり、より回転板１０４の脱水が促進される。
【００７８】
なお、脱水運転モード時にヒータ１６の通電を停止した場合でも、回転板１０４の回転および送風のみでも脱水することができ、この場合より低消費電力で脱水することができる。
【００７９】
さらに、脱水運転モードの時にファンモータ１５を停止しても、回転板１０４の回転のみでも脱水することができ、送風を停止した場合には、脱水運転モード中に本体１０１からの送風されることがなくよりドラフト感などの不快感のない脱水運転を行うことができる。
【００８０】
加湿運転から運転を停止する場合に、この脱水運転モードを行うことにより、回転板１０４やミスト発生風路３に付着した水滴を除去してから運転を停止することができるようになり、水滴が付着したままになることにより発生する雑菌の繁殖や、水道水のスケール成分析出などの不具合を抑制することができ、清潔な加湿装置とすることができる。また、清掃などのメンテナンスの回数を減少させることができ、使い勝手の良い加湿装置とすることができる。
【００８１】
なお、本実施例ではミスト発生風路３に対して下から上に向かって送風する構成としたが、上から下に向かって流れるように構成しても良い。この場合、大粒の水滴がその自重により下方に落ちる作用を有効に利用することができ、本体１０１外に大粒の水滴が飛散することを抑制することができる。
【００８２】
（実施の形態２）
図３（ａ）および図３（ｂ）は、本発明の実施の形態２における貯水タンク７および調整容器１７の動作状態を示した概略図である。なお、上記した実施の形態１と同一部分は同一符号を付し、詳細な説明は省略する。
【００８３】
本実施の形態では、容積調整手段である調整容器１７の上下の動作に連動して、貯水タンク７を上下に動作させることで、貯水タンク７から貯水槽１０２への水の供給を調整する供給調整手段を構成している。つまり、調整容器１７が貯水槽１０２内の水の中に沈みこみ、水位が上昇する際には、貯水タンク７の位置は上方向に移動させる。貯水槽１０２内の水位は、最終的には、貯水タンク７の給水弁８の開口部９の位置に落ち着くので、調整容器１７を貯水槽１０２に沈み込ませ水位を上げる際には、貯水タンク７の位置を上に位置させることにより、貯水槽１０２内の水位が高い位置で保持できるようにしている（図３（ａ）参照）。
【００８４】
一方、調整容器１７が貯水槽１０２の水から引き上げられ水位が下降する際には、貯水タンク７の位置は下方向に移動し、貯水槽１０２内の水位が低い位置で保持できるようにしている（図３（ｂ）参照）。
【００８５】
そして、図３（ａ）に示すように、調整容器１７が貯水槽１０２の水の中に沈みこんだ状態では貯水槽１０２の水位が高くなり、回転板１０４までの揚程が低い状態となる。すなわち、給水管１０３により、より多くの水が回転板１０４に供給される状態となっている。この状態では、回転板１０４にて破砕される水の量が増えることになり、微細なミストがより多く生成され、加湿が促進される状態となっている。
【００８６】
また、図３（ｂ）に示すように調整容器１７が貯水槽１０２の水の中から引き上げられた状態では貯水槽１０２の水位が低くなり、回転板１０４までの揚程が高い状態となる。すなわち、給水管１０３により、より少ない水が回転板に供給される状態となっている。この状態では、回転板１０４に供給される水の量が減少することになり、微細なミストの生成が抑えられ、緩やかな加湿状態となることになる。このように、貯水槽１０２の水位を調整することにより加湿量の調整が可能となる。
【００８７】
さらに、容積調整手段である調整容器１７の容積および調整容器１７の貯水槽１０２からの引き上げ具合を細かに調整することにより、水面と回転板１０４の揚程を細かに設定、調整することができるので、水の供給量を調整する給水量調整手段として動作させることができる。そして、水の供給量が多いほど回転板１０４から放散される水の量が増加するのでミスト発生量が多くなり、水の供給量を調整することによりきめ細かに加湿量を調整することが可能となる。
【００８８】
また、調整容器１７が貯水槽１０２の水から引き上げられた際、水面が給水管１０３より下方となるように調整容器１７の容量や引き上げ量を調整することで、実施の形態１で記載した脱水運転をすることも可能となる。
【００８９】
調整容器１７と貯水タンク７の動作を連動させる方法は、図示していないが、例えば、調整容器１７から貯水タンク７を結ぶリンク機構を利用して、連動させる方法や、調整容器１７の位置を検出するセンサーを備え、その信号により貯水タンク７を駆動手段を使って上下させる方法などが考えられる。
【００９０】
（実施の形態３）
図４は、本発明の実施の形態３における貯水槽１０２、貯水タンク７および回転板１０４、給水管１０３の位置関係を示した概略図である。なお、上記した実施の形態１および実施の形態２と同一部分は同一符号を付し、詳細な説明は省略する。
【００９１】
本実施の形態では、貯水槽１０２の水面から回転板１０４までの高さを調整する水位変更手段として、回転板１０４および給水管１０３が上下方向に動作可能な構成としている。図示していないが、回転板１０４および給水管１０３を上下方向に動作させる駆動手段を備えている。
【００９２】
図４中点線で示された位置まで回転板１０４および給水管１０３が下方向に移動してきた場合、貯水槽１０２の水面に給水管１０３の先端が到達し、回転板１０４が回転することにより給水管１０３が回転し水を回転板１０４に給水することが可能となる。
【００９３】
一方、回転板１０４および給水管１０３が図４中実線の位置まで上方向に移動してきた場合、貯水槽１０２の水面から給水管１０３の先端が離れ、給水が停止される。すなわち、加湿運転を行う場合には、回転板１０４および給水管１０３を下降させ、給水管１０３の先端を貯水槽１０２の水の中に沈めることにより、給水が開始され加湿が行われる。
【００９４】
また、回転板１０４および給水管１０３を上昇させ、給水管１０３の先端が貯水槽１０２の水面より上方に位置するようにすることにより、給水を停止した状態で回転板１０４を回すことができるので、実施の形態１で示した脱水運転を行うことが可能となる。
【００９５】
また、回転板１０４および給水管１０３の上下方向の位置を細かく調整することにより、貯水槽１０２の水面から回転板１０４までの揚程を細かく調整することができる。すなわち回転板１０４への給水量を細かに調整することが可能となり、破砕される水量が調整できるので、給水量調整手段として動作し、ミストの発生量を調整でき、加湿量を細かく調整することができることになる。
【００９６】
以上、実施の形態１から３にて説明してきた構成および動作からもわかるように本発明の加湿装置は、遠心力によって水を放散する回転板１０４を有し、回転板１０４で放散させた水の衝突によりミストを発生させる加湿装置であって、回転板１０４の下部に設置した貯水槽１０２と、回転板１０４から貯水槽１０２に伸び貯水槽１０２に下端を挿入し回転により水を吸上げる給水管１０３を備え、回転板１０４への給水量を調整する給水量調整手段を備えることにより、回転板１０４への給水量を調整できるので、回転板への給水量を増加した場合には水破砕を増加させ、回転板１０４への給水量を減少した場合には水破砕を減少させることができ、加湿量を調整可能な使い勝手のよい加湿装置を提供することができるという効果を奏する。
【００９７】
また、貯水槽１０２の水面から回転板１０４までの高さを変更する水位変更手段を備えることにより、貯水槽１０２の水面から回転板１０４までの揚程を変更することになり、揚程が下がれば回転板１０４への給水量を増加し、揚程が上がれば回転板１０４への給水量を減少するので給水量を調整できることになり、回転板１０４への給水量を増加した場合には水破砕を増加させ、回転板１０４への給水量を減少した場合には水破砕を減少させ、また給水管１０３より水位が下がれば回転板１０４への給水を止めるので、加湿量を調整可能で、しかも加湿なしも選べる、使い勝手のよい加湿装置を提供することができるという効果を奏する。
【００９８】
また、貯水槽１０２の水が溜まる部分の容積を調整する容積調整手段を備え、容積を縮小することにより貯水槽１０２の水位を上げ回転板１０４までの高さを低くさせ、容積を拡大することにより貯水槽１０２の水位を下げ回転板１０４までの高さを高くさせることにより、貯水槽１０２への水の量を増減することなく、簡単な構成で貯水槽１０２の水位を増減させるので、安価の構成で回転板への給水量を調整できることになり、回転板１０４への給水量を増加した場合には水破砕を増加させ、回転板１０４への給水量を減少した場合には水破砕を減少させることができ、給水管１０３より水位を下げた場合には給水をなくし水破砕をなくすことができ、加湿量を調整可能で、加湿なしも選べる、使い勝手のよい加湿装置を提供することができるという効果を奏する。
【００９９】
また、所定の容積を持った調整容器１７を備え、調整容器１７を貯水槽１０２に沈めることにより貯水槽１０２の水位を上昇させ、調整容器１７を貯水槽１０２から引き上げることにより水位を低下させることにより、調整容器１７だけで貯水槽１０２の水が溜まる部分の容積を増減させ水位を上下させることができ、調整容器１７の容積を調整することにより水位の高さを任意に設定でき、また、貯水槽１０２への沈める高さによっても水位の高さを調整可能となるので、簡単で安価の構成で、給水揚程を調整でき、回転板１０４への給水量を調整できることになり、回転板１０４への給水量を増加した場合には、回転板１０４で放散される水の量を増やし水破砕を増加し加湿量が増え、回転板１０４への給水量を減少した場合には回転板１０４で放散される水の量を減少し水破砕を減少し加湿量が減るので、加湿量を調整可能な使い勝手のよい加湿装置を提供することができるという効果を奏する。
【０１００】
また、貯水槽１０２に供給する水をためる貯水タンク７を備え、貯水槽１０２の水位を低下させる時、貯水タンク７から貯水槽１０２への水の供給を停止する供給調整手段を備えることにより、水位低下により貯水タンク７から水が供給され、水位が上昇するのを抑制し、回転板１０４との揚程を所定高さに安定させ、回転板１０４への給水量を安定させるので、簡単で安価の構成で、給水揚程を調整でき、回転板１０４への給水量を調整できることになり、回転板１０４への給水量を減少した場合に水破砕を確実に減少させ、水位を給水管１０３より低い位置に設定した場合には、確実に水を吸上げなくすることができる加湿装置を提供することができるという効果を奏する。
【０１０１】
また、貯水タンク７は下部に給水弁８を備え、給水弁８は開口部９と開口部９を閉塞し貯水タンク７を密閉する閉塞弁１０と閉塞弁１０を通常状態では開口部９に押し付けるバネ１２と給水タンク７下方からの押圧により閉塞弁１０を押し上げ開口部９を開口する押圧棒１１とにより構成され、調整容器１７の浮沈と押圧棒１１の押圧の有無を連動することにより、水位変更手段により水位が低くされた時には、押圧棒１１の押圧を無くし、貯水タンク７の開口部９を閉じ給水を停止し、低い水位を維持し、水位が高くされた場合には、押圧棒１１を押し水の供給を行うので、貯水槽１０２の水位を所定の高さで安定させ、回転板１０４への給水量を安定させ、所定の加湿量に安定させることができる加湿装置を提供することができるという効果を奏する。
【０１０２】
また、貯水槽１０２から調整容器１７を引き上げ、貯水槽１０２の水位を低下させる時、押圧棒１１の押圧を停止し、貯水タンク７からの給水を停止することにより、貯水槽１０２の水位を給水管１０３より低い位置に設定した場合、貯水タンク７からの給水がなくなり、低い水位を維持できるので給水管１０３が水を吸上げることがなく、確実に加湿なしの運転を行うことができる加湿装置を提供することができるという効果を奏する。
【０１０３】
また、貯水槽１０２に供給する水をためる貯水タンク７を備え、貯水タンク７は下部に給水弁８を備え、水位変更手段による貯水槽１０２の水位の変動に合わせて給水弁８の上下方向の位置が変動するように、貯水タンク７の配置高さを変動させることにより、通常、給水弁８の高さにより水位が決定しているが、水位変更手段（例えば貯水槽１０２内の調整容器１７の浮沈など）により水位が変更された時、給水弁８が水面より高くなり貯水タンク７から給水され水位が上がってしまうことがなく、水位が不安定になるのを抑制するので、給水を止めたいときには確実に停止でき、また給水量を調整したい時には、安定して給水でき、給水量を調整可能で加湿量を調整可能な加湿装置を提供することができるという効果を奏する。
【０１０４】
また、水位変更手段により貯水槽１０２の水位を変更させた時、給水弁８の開口部９の上下方向の位置が貯水槽１０２の水位と同じになるように貯水タンク７の配置高さを調整することにより、給水弁８の開口部９が塞がるまで貯水槽１０２の水位が上がることになるので、加湿により貯水槽１０２の水が減少した時、開口部９高さ、つまり水位変更手段により変更させた水位まで、貯水タンク７から逐次水が供給され、所定の水位が維持されるので、貯水槽１０２の水位の変動がなく、水位が不安定になることを抑制するので、給水を止めたいときには確実に停止でき、また給水量を調整したい時には、安定して給水でき、給水量を調整可能で加湿量を調整可能な加湿装置を提供することができるという効果を奏する。
【０１０５】
また、回転板１０４の高さを調整することにより、貯水槽１０２の水面から回転板１０４までの高さを調整し、給水管１０３の揚程を変更するとともに、給水管１０３を水面より高くすることもできるので、回転板１０４への給水量が調整可能、あるいは給水無しを選択でき、加湿量を調整可能な加湿装置を提供することができるという効果を奏する。
【０１０６】
また、回転板１０４に付着した水滴を脱水する脱水運転モードを備えることにより、運転停止時に脱水運転を行い、回転板１０４が乾いた状態で運転停止することになり、回転板１０４への雑菌の繁殖や、スケールの付着を抑制するので、菌やスケールの飛散を抑制するとともに、回転板１０４の清掃やメンテナンスの回数を減らすことができる使い勝手の良い加湿装置を提供することができるという効果を奏する。
【０１０７】
また、脱水運転モードの時、回転板１０４への水の供給を停止するとともに回転板１０４を駆動することにより、脱水運転モード中は水が供給されず、回転板１０４に付着した水分を確実に吹き飛ばすことができるので、運転停止時に脱水運転を行い、回転板１０４が乾いた状態で運転停止することになり、回転板１０４への雑菌の繁殖や、スケールの付着を抑制するので、菌やスケールの飛散を抑制するとともに、回転板の清掃やメンテナンスの回数を減らすことができる使い勝手の良い加湿装置を提供することができるという効果を奏する。
【０１０８】
また、脱水運転モードの時、貯水槽１０２の水面から回転板１０４までの高さを増やし、水面を給水管１０３の下端より低くすることにより、給水管１０３が水を吸上げることがなくなり、回転板１０４への給水が停止され、脱水運転モード中は水が供給されず、回転板１０４に付着した水分を確実に吹き飛ばすことができるので、運転停止時に脱水運転を行い、回転板１０４が乾いた状態で運転停止することになり、回転板１０４への雑菌の繁殖や、スケールの付着を抑制するので、菌やスケールの飛散を抑制するとともに、回転板１０４の清掃やメンテナンスの回数を減らすことができる使い勝手の良い加湿装置を提供することができるという効果を奏する。
【０１０９】
また、脱水運転モードの時、貯水タンク７から貯水槽１０２への水の供給を停止する供給調整手段を備えることにより、貯水槽１０２への水の供給も停止されるので、水位が上昇し給水管１０３の下端が水に浸かり、水を吸上げることがなく、回転板１０４への給水を確実に停止することになり、脱水運転モード中は水が供給されず、回転板１０４に付着した水分を確実に吹き飛ばすことができるので、運転停止時に脱水運転を行い、回転板１０４が乾いた状態で運転停止することになり、回転板１０４への雑菌の繁殖や、スケールの付着を抑制するので、菌やスケールの飛散を抑制するとともに、回転板１０４の清掃やメンテナンスの回数を減らすことができる使い勝手の良い加湿装置を提供することができるという効果を奏する。
【０１１０】
また、発生したミストを空気とともに搬送する送風手段を備え、脱水運転モードの時、送風手段を駆動することにより、送風による乾燥効果が加わり、回転板１０４の脱水を促進するので、脱水時間を短縮でき、回転板１０４に付着した水分をいちはやく乾燥させ、回転板１０４が乾いた状態で運転停止することになり、回転板１０４への雑菌の繁殖や、スケールの付着を抑制するので、菌やスケールの飛散を抑制するとともに、回転板１０４の清掃やメンテナンスの回数を減らすことができる使い勝手の良い加湿装置を提供することができるという効果を奏する。
【０１１１】
また、加湿を補助する加熱手段を備え、脱水運転モードの時、加熱手段を運転することにより、加熱手段の昇温効果により水分の乾燥効果が加わり、更に回転板１０４の脱水が促進されるので、脱水時間を短縮でき、回転板１０４に付着した水分をいちはやく乾燥させ、回転板１０４が乾いた状態で運転停止することになり、回転板１０４への雑菌の繁殖や、スケールの付着を抑制するので、菌やスケールの飛散を抑制するとともに、回転板１０４の清掃やメンテナンスの回数を減らすことができる使い勝手の良い加湿装置を提供することができるという効果を奏する。
【０１１２】
そして、発生したミストをファンモータ１５により送風される空気に混合して対象空間に拡散することにより対象空間を満遍なく加湿することができるものである。さらに供給湯水が破砕する際に発生したマイナスイオンも空気に混合して対象空間に供給することができ、所謂リラクゼーション効果を得ることができるものである。
【０１１３】
以上説明した内容は、発明を実施するための一形態についてのみ説明したものであり、本発明は上記実施の形態に限定されるものではない。
【０１１４】
なお、空気清浄機、除湿機と組み合わせて使用するときに、モーター４を送風手段と共用で使用したときでも、水を供給しないモードが作れるので、空気清浄と加湿の同時運転、あるいは、加湿運転を止めての空気清浄運転など、自由に運転モードを選択可能な機器を供給することができる。
【産業上の利用可能性】
【０１１５】
以上のように本発明にかかる加湿装置は、効率良くミストを発生させ、加湿を行うことが可能なものであり、可搬型加湿器だけでなく、マイナスイオンによるリラクゼーション機器、美顔器、噴霧器、浴室サウナ装置、洗浄器等にも適用することができる。また、ミスト化する液体としては、湯水の他に油、溶剤、洗剤等の各種液体を用いることができる。
【符号の説明】
【０１１６】
７      貯水タンク
８      給水弁
９      開口部
１０    閉塞弁
１１    押圧棒
１２    バネ
１５    ファンモータ
１６    ヒータ
１７    調整容器
１０１  本体
１０２  貯水槽
１０３  給水管
１０４  回転板
【図１】
0005130805.tif 000002
【図２】
0005130805.tif 000003
【図３】
0005130805.tif 000004
【図４】
0005130805.tif 000005
【図５】
0005130805.tif 000006